(57)【要約】    【課題】      一定の条件下に最大比合成処理を取り込むことにより、基地局間でデータ遅延差が大きい場合において、複数の基地局から非同期で送信されるデータが同時にフェージングの影響を受けて受信レベルが低下した場合の選択合成処理による受信性能を向上させること。    【解決手段】  メモリ１０２ａ〜１０２ｎには基地局毎に独立に受信処理されたデータが格納される。重複データ検出部１０４はデータ遅延差情報に基づきメモリに格納されている互いに重複するデータを検出する。最大比合成部１０３は重複するデータについて最大比合成処理を行う。選択合成部１０６は誤り訂正処理部１０５ａ〜１０５ｎにて基地局毎に誤り訂正処理された結果の中で正しく復号されたデータを選択する。  【選択図】      図１
2006211018.tif 000002
【特許請求の範囲】
【請求項１】
複数の基地局から非同期で送信されるデータ系列に対して前記基地局毎に独立に受信処理されたデータを個別に格納するメモリと、前記メモリにデータ遅延差を有して格納された受信データに基づき前記基地局間で重複するデータ箇所を検出する重複データ検出手段と、前記メモリにて検出された重複データ部分のみについて基地局間の最大比合成処理を行う最大比合成手段と、前記最大比合成されたデータと前記最大比合成されないデータとの双方または一方を受けて前記基地局毎に個別に誤り訂正処理を行う誤り訂正処理手段と、前記誤り訂正処理手段にて正しく復号された基地局からのデータを選択する選択合成手段と、を具備することを特徴とする無線受信装置。
【請求項２】
複数の基地局から非同期で送信されるデータ系列に対して前記基地局毎に独立に受信処理されたデータを個別に格納するメモリと、前記複数の基地局中の任意の基地局に対する任意の誤り訂正処理タイミングにおいて、前記メモリにデータ遅延差を有して格納された受信データに基づき前記基地局間で重複するデータ箇所を検出する重複データ検出手段と、前記メモリから検出された重複データ部分のみについて基地局間の最大比合成処理を行う最大比合成手段と、前記最大比合成されたデータと前記最大比合成されないデータとの双方または一方を受けて前記基地局毎に個別に誤り訂正処理を行う誤り訂正処理手段と、前記誤り訂正処理手段にて正しく復号された基地局からのデータを選択する選択合成手段と、を具備することを特徴とする無線受信装置。
【請求項３】
前記メモリには、前記基地局毎に独立にマルチパスに対して最大比合成されたデータが格納される、ことを特徴とする請求項１又は請求項２に記載の無線受信装置。
【請求項４】
前記重複データ検出手段は、前記複数の基地局間のデータ送信タイミング遅延差情報に基づき、前記メモリに格納された任意の基地局に対する誤り訂正処理単位内のデータに対して前記任意の基地局とは異なる基地局からの受信データと重複するデータを検出すること、を特徴とする請求項１又は請求項２に記載の無線受信装置。
【請求項５】
前記最大比合成手段は、任意の基地局に対する誤り訂正処理タイミングにおいて、基地局間の最大比合成処理を行うこと、を特徴とする請求項１又は請求項２に記載の無線受信装置。
【発明の詳細な説明】
【技術分野】
【０００１】
本発明は、ＣＤＭＡ（Code Division Multi Access）方式の通信システムにおける移動端末装置（移動局）が備える無線受信装置に関し、特に複数の基地局が非同期で送信するＭＢＭＳ(Multimedia Broadcast/Multicast Service：マルチメディア同報・放送型通信)データの受信処理を行う無線受信装置に関する。
【背景技術】
【０００２】
近年、第３世代携帯電話システムの標準化団体である３ＧＰＰでは、Ｗ−ＣＤＭＡ方式の通信システムにおいて、特定または不特定多数のユーザに対して同時にマルチメディアデータのサービスを行なうためのシステムの実現を目指して、ＭＢＭＳに関する標準化を行っている（非特許文献１）。
【０００３】
ＭＢＭＳデータの送信は、Ｗ−ＣＤＭＡシステムにおける既存のデータチャネルのうちの共通チャネル（Ｓ―ＣＣＰＣＨ）、もしくは、個別チャネル（ＤＬ−ＤＰＣＨ）を使って行われる。共通チャネル（Ｓ−ＣＣＰＣＨ）を使用する場合は、複数ユーザで無線およびネットワークのリソースが共有可能であるため、リソース不足の解消及び伝送効率の大幅な向上という利点がある。また、一方で配信するコンテンツの受信ユーザ数で共通チャネルと個別チャネルとの切り替えによって、効率良い無線チャネルを選択することもできる。
【０００４】
そして、共通チャネル（Ｓ−ＣＣＰＣＨ）を用いてＭＢＭＳデータを送信する場合は、最悪条件を考慮してセルエッジにいる移動局に対しても同レートでのデータ配信が必要となるために、基地局送信電力の増大や、それに伴い既存音声ユーザに対するキャパシティ減少が発生する。そのため、ＭＢＭＳデータを共通チャネル（Ｓ−ＣＣＰＣＨ）を用いて送信する場合、上記の問題を解決するために長周期インターリーバ及び受信ダイバーシティ技術等が提案されている。
【０００５】
また、図７は、移動局が複数の基地局からＭＢＭＳデータを受信するタイミングを説明する図である。移動局が複数の基地局から共通チャネル（Ｓ−ＣＣＰＣＨ）でＭＢＭＳデータを受信する場合、図７で示すように、ＭＢＭＳデータは各基地局（第１の基地局７０１ａ及び第２の基地局７０１ｂ）から非同期で送信されるので、各基地局（第１の基地局７０１ａ及び第２の基地局７０１ｂ）から移動局７０２に伝達されるＭＢＭＳデータ（ＭＢＭＳ７０３ａ及びＭＢＭＳ７０３ｂ）のデータ遅延差７０４が大きくなる場合がある。そのとき、移動局７０２では、複数の基地局間でのマルチパスに対するＲＡＫＥ合成（最大比合成）を採用すると、データ遅延差７０４を吸収するために膨大なメモリを搭載する必要があるので、実現が困難となる。
【０００６】
そのために、非特許文献１では、複数の基地局から同じ情報を乗せたＭＢＭＳデータを送信し、移動局において、基地局毎に独立にデータを復号し、正しく誤り訂正処理された基地局からのＭＢＭＳデータを最終的な復号データとして選択する選択合成技術が示されている。この非特許文献１の指針に従ってＭＢＭＳデータの受信処理系を構成すると、例えば図８に示すようになる。
【０００７】
図８は、Ｎ個の基地局から送信されたＭＢＭＳデータを選択合成で受信処理する従来の移動端末装置の構成例を示すブロック図である。図８に示す移動端末装置８００は、Ｎ個の基地局（基地局Ａ〜基地局Ｎ）毎に設けられる復調部８０１ａ〜８０１ｎと、各復調部と１対１の関係で設けられるメモリ８０２ａ〜８０２ｎと、各メモリと１対１の関係で設けられる誤り訂正処理部８０３ａ〜８０３ｎと、各誤り訂正処理部の出力が受ける選択合成部８０４とを備えている。
【０００８】
次に、動作について説明する。図８において、Ｎ個の基地局（基地局Ａ〜基地局Ｎ）から送信されたＭＢＭＳデータは、受信データＡ〜受信データＮとして復調部８０１ａ〜８０１ｎにそれぞれ入力される。復調部８０１ａ〜８０１ｎは、それぞれ、受信データＡ〜受信データＮに復調処理を施し、復調結果をメモリ８０２ａ〜８０２ｎに格納する。そして、メモリ８０２ａ〜８０２ｎに格納された復調後データは、それぞれ誤り訂正処理単位のデータが蓄積された段階で、誤り訂正処理部８０３ａ〜８０３ｎに入力され、誤り訂正処理が行なわれる。
【０００９】
最後に、選択合成部８０４において、誤り訂正処理部８０３ａ〜８０３ｎから出力された基地局Ａ〜基地局Ｎからの送信データに対する復号が正しく行われたデータを最終的な復号後データとして有効とする。また、選択合成部８０４では、データ遅延差によって例えば基地局Ａから送信されたデータが正しく復号された後で、基地局Ｂから送信された同様のデータが正しくデコードされた場合は、すでに基地局Ａでそのデータが正しく受信できているために無効とする処理を行いデータの復号処理を完了させる。
【００１０】
このように、移動局では、選択合成によってＭＢＭＳデータの受信処理を行うことで、受信性能を向上させることができる。
【非特許文献１】３ＧＰＰ  ＴＲ２５．８０３  Ｖ１．３．０（２００４−０３）
【発明の開示】
【発明が解決しようとする課題】
【００１１】
しかしながら、移動局の受信処理系を、基地局毎に別々にデータの復号処理を行い、それに選択合成処理を施すように構成すると、基地局間でデータ遅延差が大きい場合において複数の基地局から送信されるデータが同時にフェージングの影響を受けて受信レベルが低下した場合の受信性能は、全基地局から送信されるデータに対して最大比合成処理を行った後にデータの復号処理を行う場合と比べて、悪くなるという問題がある。
【００１２】
本発明は、かかる点に鑑みてなされたものであり、一定の条件下に最大比合成処理を取り込むことにより、基地局間でデータ遅延差が大きい場合において、複数の基地局から非同期で送信されるデータが同時にフェージングの影響を受けて受信レベルが低下した場合の選択合成処理による受信性能を向上させることのできる無線受信装置を提供することを目的とする。
【課題を解決するための手段】
【００１３】
かかる課題を解決するため、本発明に係る無線受信装置は、複数の基地局から非同期で送信されるデータ系列に対して前記基地局毎に独立に受信処理されたデータを個別に格納するメモリと、前記メモリにデータ遅延差を有して格納された受信データに基づき前記基地局間で重複するデータ箇所を検出する重複データ検出手段と、前記メモリにて検出された重複データ部分のみについて基地局間の最大比合成処理を行う最大比合成手段と、前記最大比合成されたデータと前記最大比合成されないデータとの双方または一方を受けて前記基地局毎に個別に誤り訂正処理を行う誤り訂正処理手段と、前記誤り訂正処理手段にて正しく復号された基地局からのデータを選択する選択合成手段とを具備する構成を採る。
【００１４】
この構成によれば、基地局単位でのパス間最大比合成に加えて、メモリに格納されている基地局毎のデータに対して、一部のデータでも重複している場合は、重複する同じデータに対して基地局間最大比合成を行うので、複数の基地局から送信されるデータ遅延量が大きい場合でも誤り訂正能力が向上し、受信性能が向上する。
【００１５】
本発明に係る無線受信装置は、複数の基地局から非同期で送信されるデータ系列に対して前記基地局毎に独立に受信処理されたデータを個別に格納するメモリと、前記複数の基地局中の任意の基地局に対する任意の誤り訂正処理タイミングにおいて、前記メモリにデータ遅延差を有して格納された受信データに基づき前記基地局間で重複するデータ箇所を検出する重複データ検出手段と、前記メモリから検出された重複データ部分のみについて基地局間の最大比合成処理を行う最大比合成手段と、前記最大比合成されたデータと前記最大比合成されないデータとの双方または一方を受けて前記基地局毎に個別に誤り訂正処理を行う誤り訂正処理手段と、前記誤り訂正処理手段にて正しく復号された基地局からのデータを選択する選択合成手段とを具備する構成を採る。
【００１６】
この構成によれば、基地局単位でのパス間最大比合成に加えて、メモリに格納されている基地局毎のデータに対して、任意の基地局に対する任意の誤り訂正処理タイミングにおいて、一部のデータでも重複している場合は、重複する同じデータに対して基地局間最大比合成を行うので、複数の基地局から送信されるデータ遅延量が大きい場合でも、誤り訂正能力が向上し、受信性能が向上する。
【００１７】
本発明に係る無線受信装置は、上記の発明において、前記メモリには、前記基地局毎に独立にマルチパスに対して最大比合成されたデータが格納されるという構成を採る。
【００１８】
この構成によれば、基地局間での最大比合成を行うためにＲＡＫＥ合成後のデータに対してメモリを持たせるので、マルチパスのデータに対してメモリを持たせる場合と比べてメモリを削減することができる。
【００１９】
本発明に係る無線受信装置は、上記の発明において、前記重複データ検出手段は、前記複数の基地局間のデータ送信タイミング遅延差情報に基づき、前記メモリに格納された任意の基地局に対する誤り訂正処理単位内のデータに対して前記任意の基地局とは異なる基地局からの受信データと重複するデータを検出するという構成を採る。
【００２０】
この構成によれば、データ遅延差が大きい場合でも、基地局毎に個別に格納されている受信データの中から重複する同じデータを検出することができる。
【００２１】
本発明に係る無線受信装置は、上記の発明において、前記最大比合成手段は、任意の基地局に対する誤り訂正処理タイミングにおいて、基地局間の最大比合成処理を行うという構成を採る。
【００２２】
この構成によれば、基地局ごと個別に格納されている受信データの中で、重複する同じデータに関しては、データ遅延差が大きい場合でも最大比合成を行うことができるので、受信性能が向上する。
【発明の効果】
【００２３】
本発明によれば、一定の条件下に最大比合成処理を取り込むようにしたので、基地局間でデータ遅延差が大きい場合において、複数の基地局から非同期で送信されるデータが同時にフェージングの影響を受けて受信レベルが低下した場合の選択合成処理による受信性能を向上させることができる。
【発明を実施するための最良の形態】
【００２４】
本発明の骨子は、複数の基地局が非同期でＭＢＭＳデータを送信するＣＭＤＡ方式移動通信システムにおける移動局においてデータ遅延差を有して受信される各基地局からのＭＢＭＳデータを選択合成処理によって受信処理を行う場合に、データバッファ内に蓄積された基地局毎の受信データのうち誤り訂正処理タイミングにおいて基地局間で重複するデータが存在する場合は、その重複するデータについては基地局間での最大比合成処理を行うようにし、基地局間でデータ遅延差が大きい場合において、複数の基地局から送信されるデータが同時にフェージングの影響を受けて受信レベルが低下した場合でも、選択合成処理による受信性能を向上させることである。
【００２５】
以下、本発明の実施の形態について図面を参照して詳細に説明する。
【００２６】
（実施の形態１）
図１は本発明の実施の形態１に係る移動端末装置が備える無線受信装置の構成を示すブロック図である。図１に示す無線受信装置１００は、Ｎ個の基地局（基地局Ａ〜基地局Ｎ）毎に設けられる復調部１０１ａ〜１０１ｎと、各復調部と１対１の関係で設けられるメモリ１０２ａ〜１０２ｎと、各メモリの出力を受ける最大比合成部１０３と、各メモリ及び最大比合成部１０３にアクセスする重複データ検出部１０４と、最大比合成部１０３のＮ個の出力を個別に受ける誤り訂正処理部１０５ａ〜１０５ｎと、各誤り訂正処理部の出力が受ける選択合成部１０６とを備えている。
【００２７】
Ｎ個の基地局（基地局Ａ〜基地局Ｎ）から送信されたＭＢＭＳデータは、受信データＡ〜受信データＮとして復調部１０１ａ〜１０１ｎにそれぞれ入力される。復調部１０１ａ〜１０１ｎでは、それぞれ、対応する受信データについてデインターリーブ処理やチャネルデコード処理などの復調処理を行い、対応するメモリに格納する。
【００２８】
メモリ１０２ａ〜１０２ｎには、Ｎ個の基地局からのデータ遅延差を吸収するためのものであり、それぞれ、誤り訂正処理単位分の復調後データが１以上格納できる同じ容量を有している。
【００２９】
重複データ検出部１０４は、上位レイヤーもしくは基地局から予め報知される、あるいは、当該端末内部で算出したデータ遅延差情報をもとに、誤り訂正処理開始タイミングにおいて、メモリ１０２ａ〜１０２ｎに格納される誤り訂正処理単位内の復調後データの中で重複する復調後データを検出し、重複する復調後データが存在する場合には最大比合成部１０３に対しメモリ１０２ａ〜１０２ｎから読み出す復調後データに対する読み出しアドレスを指定する。
【００３０】
最大比合成部１０３は、重複データ検出部１０４から読み出しアドレスの指定を受けた場合には、同時刻においてメモリ１０２ａ〜１０２ｎに格納された復調後データのうち指定された重複する復調後データの部分に関して最大比合成処理を行い、最大比合成後データを誤り訂正処理部１０５ａ〜１０５ｎに出力する。また、最大比合成部１０３は、重複データ検出部１０４から読み出しアドレスの指定を受けない場合には、重複する復調後データが存在しない場合であるので、同時刻においてメモリ１０２ａ〜１０２ｎに格納された復調後データを読み出して、誤り訂正処理部１０５ａ〜１０５ｎに出力する。
【００３１】
誤り訂正処理部１０５ａ〜１０５ｎは、最大比合成部１０３から誤り訂正処理単位分のデータが入力される度に、その誤り訂正処理単位分の受信データについてターボ復号処理やビタビ復号処理などの誤り訂正処理を行う。そして、誤り訂正後のデータと一緒に、受信データが正しく復号できたか否かの判定結果を示す誤り訂正判定信号（ＯＫ、ＮＧ）を選択合成部１０６に出力する。
【００３２】
そして、選択合成部１０６は、最終的に基地局毎に受信したデータに対して誤り訂正処理部１０５ａ〜１０５ｎから出力される誤り訂正判定信号に基づき、そのデータが正しく復号されたか否かを判断し、そのデータが正しく復号された場合には、復号後データとして出力する。このとき、ある基地局から先行して受信したデータの誤り訂正判定結果がＯＫであることが確認できた場合は、他の基地局から後から受信したデータは破棄する処理を行うようになっている。
【００３３】
以下、図２〜図５を参照して最大比合成処理を加味した無線受信装置１００での受信処理動作について詳細に説明する。ここでは、理解を容易にするため２つの基地局を取り上げて説明するが、基地局間のデータ遅延差と誤り訂正処理単位のデータとの関係で、メモリサイズが十分に確保できていない場合（図２、図３）と、メモリサイズが十分に確保できている場合（図４、図５）とに分けて説明する。
【００３４】
（１）基地局間のデータ遅延差と誤り訂正処理単位のデータとの関係で、メモリサイズが十分に確保できていない場合の動作（図２、図３）。なお、図２は、２つの基地局間で生ずるデータ遅延差と誤り訂正処理単位データとの関係を説明するタイムチャート（その１）である。図３は、図２に示す２つの基地局からの受信データを用いた最大比合成動作を説明する図（その１）である。
【００３５】
図２において、基地局Ａと基地局Ｂは、それぞれ、同じ内容のフレームデータ系列２０１ａ、フレームデータ系列２０１ｂを送信している。各フレームデータ系列は、１０ｍｓの時間幅を持つフレームデータで構成されている。基地局Ａと基地局Ｂは、それぞれのフレームデータ系列を非同期で送信している。図２では、基地局Ｂの送信タイミングは、基地局Ａよりも５フレームデータの時間幅分早いとしているので、移動通信端末装置（移動局）では、５フレームデータ分の時間幅からなるデータ遅延差２００を有して受信されることになる。そして、４０ｍｓの送信期間（ＴＴＩ）内に受信される４フレームデータが誤り訂正処理単位の（復調後）データであるとしている。したがって、図２に示す４０ｍＴＴＩは、誤り訂正処理単位を示すことになる。
【００３６】
今の例では、基地局は２つであるので、図１に示した構成は、図３に示すように表すことができる。図２に示すＴＴＩバッファは、メモリ１０２ａ，１０２ｂを示している。メモリ１０２ａ，１０２ｂは、それぞれ、８０ｍＴＴＩ分のデータ、つまり、８フレームデータを蓄積できる容量を有しているとしている。基地局間でのデータ遅延差２００が５フレームデータ分あるのに対して、誤り訂正処理単位ＴＴＩが４フレームデータであるので、この容量は、両メモリに常に重複したデータを格納しておくことができず不十分な容量であると言える。
【００３７】
図３において、復調部１０１ａに入力される受信データＡは、基地局Ａが送信するフレームデータ系列２０１ａであり、フレームデータ単位に復調処理され、順にメモリ１０２ａに格納される。また、復調部１０１ｂに入力される受信データＢは、基地局Ｂが送信するフレームデータ系列２０１ｂであり、フレームデータ単位に復調処理され、順にメモリ１０２ｂに格納される。上記のように、メモリ１０２ａ，１０２ｂには、それぞれ、８フレームデータが蓄積される。
【００３８】
したがって、図２に示した例では、時刻Ｔ−７〜時刻Ｔまでの期間では、メモリ１０２ａには、フレームデータ２０２ａ，２０３ａ，２０４ａ，２０５ａ，２０６ａ，２０７ａ，２０８ａ，２０９ａがこの順に格納される。また、メモリ１０２ｂには、フレームデータ２０２ｂ，２０３ｂ，２０４ｂ，２０５ｂ，２０６ｂ，２０７ｂ，２０８ｂ，２０９ｂがこの順に格納される。
【００３９】
ここで、時刻Ｔ−７〜時刻Ｔ−５までの期間において基地局Ｂが送信するフレームデータ系列２０１ｂにおけるフレームデータ２０２ｂ，２０３ｂ，２０４ｂと、データ遅延差２００後の時刻Ｔ−２〜時刻Ｔまでの期間において基地局Ａが送信するフレームデータ系列２０１ａにおけるフレームデータ２０７ａ，２０８ａ，２０９ａとは、互いに重複するデータである。その他のフレームデータは、重複しない。データ遅延差２００におけるデータ量がＴＴＩバッファのサイズよりも小さい場合は、このように一部で重複するデータが存在する。しかし、重複するデータは３フレームデータであり、誤り訂正処理単位の４フレームデータよりも少ない。したがって、データ遅延差２００におけるデータ量がＴＴＩバッファのサイズを超える場合は、このように一部で重複するデータも存在しないことが起こる。今の例では、双方のケースが認められる。
【００４０】
重複データ検出部１０４は、データ遅延差情報が予め基地局から報知されている、もしくは、移動端末装置内部で算出されて報知されているので、そのデータ遅延差におけるデータ量とＴＴＩバッファのサイズとの大小関係からＴＴＩバッファに重複するデータが存在するか否かが判断でき、一部に重複するデータが存在する場合は、その重複するデータとその他の重複しないデータとを特定するアドレスも分かるので、次のような動作を行うことができる。
【００４１】
即ち、図２に示すように、基地局Ｂの方がデータ遅延差２００分、基地局Ａよりも先行しているので、重複データ検出部１０４は、基地局Ａの送信データがメモリ１０２ａに蓄積されるのを待って、つまり基地局Ａが送信するフレームデータ系列２０１ａにおける時刻Ｔ−７〜時刻Ｔまでのデータがメモリ１０２ａに蓄積される時刻Ｔにおいて、両メモリに重複するデータの有無を調べる。
【００４２】
今の例では、図３に示すように一部に重複するデータが存在するので、時刻Ｔにおける基地局Ａのデータに対して誤り訂正処理を行なう場合、重複データ検出部１０４は、重複するデータである旨を最大比合成部１０３に通知し、メモリ１０２ｂの先頭アドレスから第３番目までのアドレスを指定して最大比合成部１０３に取り込ませ、またメモリ１０２ａの先頭アドレスからデータ遅延差２００分進んだ第６番目から最終の第８番目までのアドレスを指定して最大比合成部１０３に取り込ませる。
【００４３】
これによって、最大比合成部１０３は、基地局Ａの誤り訂正処理単位である２０６ａ，２０７ａ，２０８ａ，２０９ａのうち、２０７ａ，２０８ａ，２０９ａのデータに関しては、重複するデータとしてメモリ１０２ｂ，１０２ａの指定されたアドレスから、基地局Ｂが送信するフレームデータ系列２０１ｂにおけるフレームデータ２０２ｂ，２０３ｂ，２０４ｂと、基地局Ａが送信するフレームデータ系列２０１ａにおけるフレームデータ２０７ａ，２０８ａ，２０９ａとを読み出し、それぞれについて最大比合成処理を行い、一方でデータが重複していない２０６ａに関しては最大比合成処理を行なうことなく誤り訂正処理部１０５ａ，１０５ｂに与える。
【００４４】
誤り訂正処理部１０５ａ，１０５ｂでは、最大比合成部１０３から入力するデータが誤り訂正処理単位ＴＴＩである４フレームデータ分揃ったときに誤り訂正処理を行う。それについて選択合成部１０６での選択合成処理が行われる。
【００４５】
このように、基地局毎に独立にデータ受信を行って正しく復号できた方を選択する選択合成方法によってデータ受信を行う移動通信端末の無線受信装置１００では、メモリ１０２ａ〜１０２ｎと誤り訂正処理部１０５ａ〜１０５ｎとの間に最大比合成部１０３を設け、複数の基地局から非同期で送信されるＭＢＭＳデータが蓄積されるメモリ１０２ａ〜１０２ｎの格納データ中に、誤り訂正処理単位において一部でも重複しているデータが存在する場合は、その重複するデータに対して基地局間の最大比合成を行い、合成後のデータに対して誤り訂正処理が行われるので、複数の基地局から送信されるデータ遅延差が大きい場合でも誤り訂正能力が向上し、受信性能が向上する。
【００４６】
（２）基地局間のデータ遅延差と誤り訂正処理単位のデータとの関係で、メモリサイズが十分に確保できている場合の動作（図４、図５）。なお、図４は、２つの基地局間で生ずるデータ遅延差と誤り訂正処理単位データとの関係を説明するタイムチャート（その２）である。図５は、図４に示す２つの基地局からの受信データを用いた最大比合成動作を説明する図（その２）である。
【００４７】
図４において、基地局Ａと基地局Ｂは、それぞれ、同じ内容のフレームデータ系列４０１ａ、フレームデータ系列４０１ｂを送信しているが、各フレームデータ系列は、１０ｍｓの時間幅を持つフレームデータで構成されている。基地局Ａと基地局Ｂは、それぞれのフレームデータ系列を非同期で送信している。図４では、基地局Ｂの送信タイミングは、基地局Ａよりも３フレームデータの時間幅分早いとしているので、移動通信端末装置（移動局）では、３フレームデータ分の時間幅からなるデータ遅延差４００を有して受信されることになる。そして、４０ｍｓの送信期間（ＴＴＩ）内に受信される４フレームデータが誤り訂正処理単位の（復調後）データであるとしている。したがって、図４に示す４０ｍＴＴＩは、誤り訂正処理単位を示すことになる。
【００４８】
図５では、図４に示すＴＴＩバッファであるメモリ１０２ａ，１０２ｂと最大比合成部１０３とが示されているが、ここでのメモリ１０２ａ，１０２ｂは、それぞれ、８０ｍＴＴＩ分のデータ、つまり１０フレームデータを蓄積できる容量を有しているとしている。基地局間でのデータ遅延差４００が３フレームデータ分あるのに対して、誤り訂正処理単位ＴＴＩが４フレームデータであるので、この容量は、両メモリに常に重複したデータを格納しておくのに十分な容量であると言える。
【００４９】
図５において、メモリ１０２ａ，１０２ｂには、それぞれ、８フレームデータが蓄積される。したがって、図４に示した例では、時刻Ｔ−７〜時刻Ｔまでの期間では、メモリ１０２ａには、フレームデータ４０２ａ，４０３ａ，４０４ａ，４０５ａ，４０６ａ，４０７ａ，４０８ａ，４０９ａがこの順に格納される。また、メモリ１０２ｂには、フレームデータ４０２ｂ，４０３ｂ，４０４ｂ，４０５ｂ，４０６ｂ，４０７ｂ，４０８ｂ，４０９ｂがこの順に格納される。
【００５０】
ここで、基地局Ａの誤り訂正処理タイミングである時刻Ｔにおいて、時刻Ｔ−６〜時刻Ｔ−３までの期間において基地局Ｂが送信するフレームデータ系列２０１ｂにおけるフレームデータ４０３ｂ，４０４ｂ，４０５ｂ，４０６ｂと、データ遅延差４００後の時刻Ｔ−３〜時刻Ｔまでの期間において基地局Ａが送信するフレームデータ系列２０１ａにおけるフレームデータ４０６ａ，４０７ａ，４０８ａ，４０９ａとは、互いに重複するデータである。
【００５１】
そして、重複するデータは、誤り訂正処理単位ＴＴＩと同じ４フレームデータであり、各タイミングにおいてこの関係が維持される。つまり、基地局間のデータ遅延差がメモリで吸収することができているので、基地局Ａから遅れて送信されるデータがメモリ１０２ａに蓄積されるのを待てば、基地局間の最大比合成を常に行うことができる。
【００５２】
このように、メモリサイズがデータ遅延差を吸収できる程度に十分に確保されている場合は、ある程度のデータ遅延差が存在するときでも誤り訂正処理単位内で全てのデータが重複することがある。この場合は、全基地局からのパスに対して最大比合成処理を行うことが可能となるので、複数の基地局から送信されるデータ遅延差が大きい場合でも受信性能を向上させることができる。
【００５３】
（実施の形態２）
図６は、本発明の実施の形態２に係る移動端末装置が備える無線受信装置の構成を示すブロック図である。なお、図２では、図１（実施の形態１）に示した構成要素と同一ないしは同等である構成要素には同一の符号が付されている。ここでは、本実施の形態２に関わる部分を中心に説明する。
【００５４】
図６に示すように、本発明の実施の形態２に係る無線受信装置６００は、図１（実施の形態１）に示した構成において、復調部１０１ａ〜１０１ｎの前段に、サーチャー部６０１と、フィンガー部６０２−１〜６０２−ｍと、ＲＡＫＥ合成部６０３とが設けられている。即ち、無線受信装置６００は、Ｎ個の基地局からｍ個のパスで入力されるデータの受信処理が行えるようになっている。
【００５５】
次に、動作について説明する。図６において、フィンガー部６０２−１〜６０２−ｍには、それぞれ、サーチャー部６０１の出力と、図示しない無線処理部においてアンテナから取り込んだ受信信号をディジタル変換した受信データとが入力される。
【００５６】
フィンガー部６０２−１〜６０２−ｍでは、Ｎ個の基地局からｍ個のパスで入力される受信データに対して、サーチャー部６０１で指示されたパスタイミングに応じた逆拡散処理及び位相補正処理を行う。
【００５７】
ＲＡＫＥ合成部６０３は、各フィンガー部から出力された逆拡散後のシンボルデータに対して、同じ基地局のパス同士でＲＡＫＥ合成処理を行い、ＲＡＫＥ合成結果としては最大で受信基地局分の合成後データＡ〜合成後データＮを生成し、それぞれ復調部１０１ａ〜１０１ｎに出力する。
【００５８】
復調部１０１ａ〜１０１ｎは、合成後データＡ〜合成後データＮを基地局単位に復調しその復調後データを、実施の形態１にて説明したように、メモリ１０１ａ〜１０１ｎに誤り訂正処理単位で格納する。そして、基地局間のデータ遅延情報をもとに、メモリ１０１ａ〜１０１ｎに格納されている基地局毎のデータにおいて、誤り訂正処理単位で一部のデータでも重複している場合は、重複するデータに対して基地局間最大比合成を行い、その合成後のデータに対して誤り訂正処理を行う。
【００５９】
このように、複数の基地局から大きな遅延差をつけてマルチパスで送信されるデータに対する受信処理において、同じ基地局のパス同士でＲＡＫＥ合成処理したデータをメモリに格納するので、基地局間で最大比合成を行うためにマルチパス分のデータに対してメモリを持たせる場合と比べてメモリを削減することができる。
【００６０】
さらに、基地局毎に個別に格納されている受信データの中で、重複する同じデータに関しては、データ遅延差が大きい場合でも最大比合成を行うことができるので受信性能が向上する。
【産業上の利用可能性】
【００６１】
本発明は、複数の基地局が非同期で送信するＭＢＭＳデータの受信処理を行うる移動端末装置に用いるに好適である。
【図面の簡単な説明】
【００６２】
【図１】本発明の実施の形態１に係る移動端末装置が備える無線受信装置の構成を示すブロック図
【図２】２つの基地局間で生ずるデータ遅延差と誤り訂正処理単位データとの関係を説明するタイムチャート
【図３】図２に示す２つの基地局からの受信データを用いた最大比合成動作を説明する図
【図４】２つの基地局間で生ずるデータ遅延差と誤り訂正処理単位データとの関係を説明するタイムチャート
【図５】図４に示す２つの基地局からの受信データを用いた最大比合成動作を説明する図
【図６】本発明の実施の形態２に係る移動端末装置が備える無線受信装置の構成を示すブロック図
【図７】移動局が複数の基地局からＭＢＭＳデータを受信するタイミングを説明する図
【図８】Ｎ個の基地局から送信されたＭＢＭＳデータを選択合成で受信処理する従来の移動端末装置の構成例を示すブロック図
【符号の説明】
【００６３】
１００，６００  無線受信装置（移動端末装置）
１０１ａ〜１０１ｎ  復調部
１０２ａ〜１０２ｎ  メモリ
１０３  最大比合成部
１０４  重複データ検出部
１０５ａ〜１０５ｎ  誤り訂正処理部
１０６  選択合成部  
６０１  サーチャー部  
６０２−１〜６０２−ｍ  フィンガー部
６０３  ＲＡＫＥ合成部
【図１】
2006211018.tif 000003
【図２】
2006211018.tif 000004
【図３】
2006211018.tif 000005
【図４】
2006211018.tif 000006
【図５】
2006211018.tif 000007
【図６】
2006211018.tif 000008
【図７】
2006211018.tif 000009
【図８】
2006211018.tif 000010